(57)【要約】【課題】  管理情報のバックアップまたはリストアを短時間で行うことが可能であり、バックアップのための外部記憶装置の記憶容量が小さくできる画像形成装置を提供することにある。【解決手段】  自装置を維持管理するための管理情報を記憶する記憶部２１３と、着脱式メモリ２２５に管理情報を保存すべくまたは外部記憶装置から管理情報を復旧すべく指示する指示部２１８と、指示部の指示に基づいて管理情報を着脱式メモリ２２５への入出力処理を行う入出力処理部２０１を備えた画像形成装置１００において、入出力処理部２０１は、管理情報の中から着脱式メモリ２２５へ保存するための保存管理情報を選択する管理情報選択手段２０９を備えており、指示部から保存の指示を受けると、保存管理情報を着脱式メモリ２２５へ保存し、または、指示部から復旧の指示を受けると、着脱式メモリ２２５から受け入れた管理情報を記憶部２１３に復旧する。【選択図】        図１
2007094155.tif 000002
【特許請求の範囲】
【請求項１】
自装置を維持管理するための管理情報を記憶する記憶部と、該自装置と接続される外部記憶装置に前記管理情報を保存すべくまたは該外部記憶装置から前記管理情報を復旧すべく指示する指示部と、該指示部の指示に基づいて外部記憶装置に対して前記管理情報の入出力を行う入出力処理部を有する画像形成装置において、
前記記憶部に記憶された前記管理情報の中から前記外部記憶装置へ保存するための保存管理情報を選択する管理情報選択手段を備え、
前記入出力処理部は、
前記指示部により前記管理情報を保存すべく指示を受けたとき、前記記憶部に保持され前記管理情報選択手段により選択された前記保存管理情報を前記外部記憶装置に出力し、
前記指示部により前記管理情報を復旧すべく指示を受けたとき、前記外部記憶装置から受け入れた管理情報を前記記憶部に復旧させることを特徴とする画像形成装置。
【請求項２】
自装置に対して電源が投入されたか否かを判定する初期化判定部を備えており、
該初期化判定部は、自装置への電源投入毎に前記外部記憶装置に前記保存管理情報を保存すべく制御することを特徴とする請求項１に記載の画像形成装置。
【請求項３】
前記管理情報は、装置設定データ、消耗品使用量、エラー履歴、機構制御補正データおよび画像形成制御補正データのうち少なくとも１つを示すことを特徴とする請求項１に記載の画像形成装置。
【請求項４】
前記指示部は前記記憶部に記憶された管理情報を表示する表示手段を有し、前記管理情報選択手段により管理情報が選択されたとき、選択された管理情報に対応する表示情報の属性を変更することを特徴とする請求項１に記載の画像形成装置。
【請求項５】
前記外部記憶装置は、前記画像形成装置本体に着脱可能な着脱式メモリであることを特徴とする請求項１に記載の画像形成装置。
【請求項６】
前記外部記憶装置は、前記画像形成装置本体とをＵＳＢインタフェースで接続されることを特徴とする請求項５に記載の画像形成装置。
【請求項７】
前記外部記憶装置はメモリカードであり、前記画像形成装置本体は前記メモリカードを挿入するためのスロットを備えることを特徴とする請求項５に記載の画像形成装置。
【請求項８】
前記外部記憶装置は、不揮発性メモリを搭載していることを特徴とする請求項５記載の画像形成装置。
【発明の詳細な説明】
【技術分野】
【０００１】
本発明は、装置本体に着脱可能であり、管理情報を保存するための外部記憶装置を備えた画像形成装置に関するものである。
【背景技術】
【０００２】
従来の画像形成装置は、装置の動作および状態を管理するための管理情報を記憶部に保持しており、自装置の動作および状態を良好に保つべく、管理情報を装置の状態の変化などに対応し更新している。管理情報の消失を防ぐために、オペレータが更新された管理情報を外部記憶装置に保存するように指示を出す。保存指示を受けた画像形成装置は、該指示に基づいて保存するために管理情報を外部記憶装置へ格納する。また、復旧指示を受けた画像形成装置は保存されていた管理情報を外部記憶装置から読出して記憶装置へ書込み復旧していた。
【０００３】
ところで、管理情報には、ユーザが画像形成装置を使用する際に設定データ、例えば、各用紙トレイへ収納する用紙の種別データと、消耗品の使用量を示す数値、例えば、トナーの使用量を示す数値データと、異常が発生したときのエラーログデータと、経時劣化に対応して行った機構制御および画像形成制御の補正データなどが示されている。
【０００４】
特許文献１には、画像形成装置の内部データをサービスマンが携行するパーソナルコンピュータ（以後、ＰＣと記述する）内蔵の記憶装置やＬＡＮ（Ｌｏｃａｌ  Ａｒｅａ  Ｎｅｔｗｏｒｋ）に接続されたサーバの記憶装置に保存させることができる画像形成装置管理システムの開示されている。
【特許文献１】特開２００１−３４４４７号公報
【発明の開示】
【発明が解決しようとする課題】
【０００５】
しかしながら、従来の画像形成装置は、全ての管理情報を保存（バックアップ）および復旧（リストア）しており、画像形成装置の機能維持に万全を期すために、管理情報の項目数が多くなる状況があり、そして各項目をきめ細かく管理しようとすれば、各管理情報の情報量が増大する。従って、管理情報の全情報量は増大して、バックアップまたはリストアに長時間を要すると共に、管理情報をバックアップのための外部記憶装置として記憶容量の大きい記憶装置が必要となるという問題があった。
【０００６】
従って、本発明の目的は、管理情報のバックアップまたはリストアを短時間で行うことが可能であり、バックアップのための外部記憶装置の記憶容量が小さくできる画像形成装置を提供することにある。
【課題を解決するための手段】
【０００７】
本発明は、以上の点を解決するために、次の構成を採用する。
〈構成１〉
自装置を維持管理するための管理情報を記憶する記憶部と、自装置と接続される外部記憶装置に管理情報を保存すべくまたは外部記憶装置から管理情報を復旧すべく指示する指示部と、指示部の指示に基づいて外部記憶装置に対して管理情報の入出力を行う入出力処理部を有する画像形成装置において、記憶部に記憶された管理情報の中から外部記憶装置へ保存するための保存管理情報を選択する管理情報選択手段を備え、入出力処理部は、指示部により管理情報を保存すべく指示を受けたとき、記憶部に保持され管理情報選択手段により選択された保存管理情報を外部記憶装置に出力し、指示部により管理情報を復旧すべく指示を受けたとき、外部記憶装置から受け入れた管理情報を記憶部に復旧させることを特徴とする。
【発明の効果】
【０００８】
本発明の画像形成装置によれば、入出力処理部は管理情報選択手段を備えており、管理情報選択手段で記憶部に保持されている管理情報に中から外部記憶装置へ保存するための保存管理情報を選択する。処理部は、保存の指示を受けると、前記保存管理情報を外部記憶装置へ格納し、復旧の指示を受けると、前記外部記憶装置から受け入れた管理情報を記憶部に復旧することから、管理情報の全情報をバックアップまたはリストアするのではなく、管理情報の中から選択された保存管理情報を外部記憶装置に格納するので、バックアップまたはリストアを短時間で行えると共に、バックアップのための外部記憶装置として記憶容量の小さい記憶装置を使用することが可能となる。
【発明を実施するための最良の形態】
【０００９】
本発明の実施形態について、図を用いて詳細に説明する。以下の説明では、各実施の形態に用いる図面について同一の構成要素は同一の符号を付し、かつ重複する説明は可能な限り省略する。
【実施例１】
【００１０】
以下、本発明の実施形態について図を用いて詳細に説明する。
図２は、本実施例で用いる画像形成装置としての印刷装置１００の主要機構を説明する側方断面図である。
用紙カセット１０は、印刷に用いる用紙を収容する収容部である。給紙ローラ１１は、用紙カセット１０に収容された用紙を繰り出すためのローラである。ガイド１２は、給紙ローラ１１によって繰り出された用紙を印刷が行なわれる部分の方向へ導く部材である。ローラ１３は、ガイド１２に導かれた用紙の先端を突き当てて用紙の傾きを修正すると共に、用紙を搬送するための位置決めローラである。
【００１１】
感光ドラム１４は、その表面に光を当てることにより表面の表面電位が変化する感光性物質でコーティングされたドラムである。帯電ローラ１５は、感光ドラム１４の表面を一様に帯電させるためのローラである。露光ヘッド１６は、一様に帯電された感光ドラムの表面に対して位置選択的に光を照射し静電潜像を形成させるものであり、例えば、発光ダイオード素子（ＬＥＤ）をアレイ状に配列させたＬＥＤアレイヘッドが用いられる。現像器１７は、静電潜像が形成された感光ドラム１４の表面に帯電したトナーを付着させて現像を行うものである。転写ローラ１８は、感光ドラム１４の表面に現像されたトナー像を搬送されてきた用紙の表面へ転写させるためのローラである。定着器１９は、加熱および加圧することにより、用紙の表面に転写されたトナー像を定着させるためのものであり、トナー像が定着された用紙は排出ローラ２０により印刷装置１００の外側へ搬送される。
以上説明した印刷装置１００の各部は、次に説明するプリンタエンジン制御部２２３により総括的に制御されて用紙の表面に画像を形成する。
【００１２】
図１は、印刷装置１００の主要機能を説明するブロック図である。
印刷装置１００は、ユーザが使用する際に装置設定データなどを入力し、該入力に基づく表示を行う操作表示部（指示部）２１８と、操作表示部２１８へ情報を送受するためのＯＰＥインタフェース部２１７と、装置の動作および状態を管理するための管理情報を保持する管理情報記憶部（記憶部）２１３と、受信したデータに基づき用紙に画像形成すべく制御するプリンタエンジン制御部２２３と、装置の全体を総括制御し画像形成処理を行う処理部（入出力処理部）２０１と、処理部２０１の制御下でプリンタエンジン制御部２２３へ印刷データの転送やプリンタエンジン制御部２２３との制御信号の送受信を行うプリンタエンジンインタフェース部２２２と、本体に着脱可能な外部記憶装置としての着脱式メモリ２２５と、着脱式メモリ２２５への情報を送受するためのメモリインタフェース部２２４と、各部に電力を供給する電源部２１５と、処理部２０１の制御下で電源部２１５を制御する電源制御部２１４と、各部間の情報を送受するためのアドレス・データバス２１６とを備える。
【００１３】
操作表示部（指示部）２１８は、図３に示すように、操作パネル３０１を有しており、該操作パネル３０１の表面に、液晶ディスプレイで表示するためのＬＣＤ表示部３０３と、実行指示を入力するための操作キー部３０８と、装置状態を示すＬＥＤ表示部３０２とを備える。
【００１４】
ＬＣＤ表示部３０３は、装置状態に関する情報に基づく装置状態を示す装置状態通知画面の表示と、処理部２０１からの動作モード選択画面表示情報に基づいて動作モードを選択するための動作モード選択画面と、処理部２０１からのメンテナンスメニュ画面表示情報に基づいてメンテナンスメニュ画面の表示と、処理部２０１からの管理情報選択画面表示情報に基づいて管理情報の中からバックアップすべき保存管理情報を選択するためのデータ選択画面の表示とを行う。
【００１５】
操作キー部３０８は、表示された動作モード選択画面及びメンテナンスメニュ画面において、選択項目を選択指示するための実行キー３０４と、カーソル表示の上下方向の移動を指示入力するための上方スクロールキー３０５および下方スクロールキー３０６と、選択された状態の項目を未選択の状態に戻す指示入力およびメンテナンスモードから脱出し待機モードへ移行する指示入力するためのキャンセルキー３０７とを備える。
【００１６】
ＬＥＤ表示部３０２は、装置の状態に基づいて点灯、点滅および消灯することによりオペレータに装置の状態を知らせる。
【００１７】
管理情報記憶部（記憶部）２１３は、装置の動作および状態を管理するための管理情報、具体的には、装置設定データ、消耗品使用量カウントデータ、エラーログデータ、機構制御補正データおよび画像形成制御補正データを保持する。管理情報は、自装置の動作および状態を良好に保つべく、装置の状態の変化および操作表示部２１８からのオペレータ入力に基づいて処理部２０１により更新される。
管理情報記憶部２１３は、装置設定データ、機構制御補正データおよび画像形成制御補正データの初期値は、予め保持している。さらに、管理情報の更新履歴を保持するようにしても良い。
【００１８】
メモリインタフェース部２２４は、着脱式メモリ２２５と装置本体との接続状態を監視しており、該接続状態を示す監視情報を処理部２０１に通知すると共に、着脱式メモリ２２５と管理情報記憶部２１３との間でデータを送受するためにＵＳＢインタフェース接続を行う。
【００１９】
着脱式メモリ２２５は、装置本体に着脱可能に設けられており、管理情報記憶部２１３からの保存管理情報を受けると、該保存管理情報をバックアップすべく保存する。また、リストア時には、保存していた保存管理情報のうちリストアのために選択された管理情報を管理情報記憶部２１３へ送出する。
着脱式メモリ２２５としては、例えば、ＵＳＢ（Ｕｎｉｖｅｒｓａｌ  Ｓｅｒｉａｌ  Ｂｕｓ）規格のインタフェースで接続されるフラッシュＲＯＭを用いた所謂フラッシュメモリや、印刷装置１００に設けられた図示せぬスロットに挿入される不揮発性メモリを搭載するメモリカードが挙げられるが、本実施例では、メモリカードを用いる例で以後の説明を行う。
【００２０】
処理部２０１は、オペレータの指示に基づいて装置の動作モードを画像形成モードまたはメンテナンスモードの何れかに決定する動作モード決定部２０２と、装置の動作モードが画像形成モードであるとき画像形成の処理を行う画像形成処理部２０３と、装置の動作モードがメンテナンスモードであるときメンテナンス処理を行うメンテナンス処理部２０４と、自装置を制御するための制御プログラムを保持する制御プログラム記憶部２１２とを備えている。
処理部２０１は、操作表示部２１８からオペレータの指示を示す情報を受けると、前記制御プログラムに基づいて指示に従った処理、即ち、画像形成処理又はメンテナンス処理を行う。
【００２１】
制御プログラム記憶部２１２は、自装置１００を制御するための制御プログラムを保持しており、該制御プログラムに基づいて処理部２０１で行なわれる全ての処理は行なわれる。
【００２２】
動作モード決定部２０２は、図示されない動作モード選択画面表示情報生成部を有しており、該動作モード選択画面表示情報生成部で生成された動作モード選択画面を表示させるための表示情報をＬＣＤ表示部３０３へ送る。ＬＣＤ表示部３０３は、該表示情報を受けると、該表示情報に基づいて図３に示される動作モード選択画面を表示する。ＬＣＤ表示部３０３に動作モード選択画面が表示されると、オペレータは画像形成モードまたはメンテナンスモードの何れかを選択指示する。動作モード決定部２０２は、該選択指示に基づいて装置の動作モードを決定し、画像形成モードに決定したときは画像形成処理部２０３を起動し、メンテナンスモードのときはメンテナンス処理部２０４を起動する。
【００２３】
ところで、動作モード決定部２０２は、ＬＣＤ表示部３０３に動作モード選択画面が表示された後所定の時間が経過しても、オペレータは画像形成モードまたはメンテナンスモードの選択指示が無い場合は、待機モードに移行する。
【００２４】
画像形成処理部２０３は、動作モード決定部２０２から起動されると、印刷のための印刷データに基づいて画像形成を行うべく処理を行う。
【００２５】
メンテナンス処理部２０４は、メンテナンスメニュ画面を表示させ、指示入力に基づいてメンテナンスメニュを決定するメンテナンスメニュ決定部２０５と、保存管理情報を外部記憶装置へバックアップするための処理を行うバックアップ処理部２０６と、管理情報を外部記憶装置からリストアするための処理を行うリストア処理部２０７と、管理情報を生成する管理情報生成部２０８と、外部記憶装置へバックアップするための保存管理情報の選択を行う管理情報選択部２０９と、管理情報記憶部２１３に保持されている管理情報の中から保存管理情報を検索する管理情報検索部２１０とを備えている。
【００２６】
メンテナンス処理部２０４は、動作モード決定部２０２から起動されると、必要に応じてオペレータの指示に基づいてメンテナンスメニュを選択し、選択されたメンテナンスメニュを行うべく処理を行う。
【００２７】
メンテナンスメニュ決定部２０５は、図示されないメンテナンスメニュ選択画面表示情報生成部を有しており、該メンテナンス選択画面表示情報生成部で生成されたメンテナンスメニュ選択画面を表示させるための表示情報をＬＣＤ表示部３０３へ送る。ＬＣＤ表示部３０３は、該表示情報を受けると、該表示情報に基づいて図４に示されるメンテナンスメニュ選択画面を表示する。ＬＣＤ表示部３０３にメンテナンスメニュ選択画面が表示されると、オペレータはデータバックアップ、データリストアおよびデータ選択の中から１つを選択する。メンテナンスメニュ決定部２０５は、オペレータの選択を判定しており、該判定結果に基づいてメンテナンスメニュを決定し、データバックアップに決定したときはバックアップ処理部２０６を起動し、データリストアのときはリストア処理部２０７を起動し、データ選択のときは管理情報選択部２０９を起動する。
【００２８】
バックアップ処理部２０６は、メンテナンスメニュ決定部２０５から起動されると、保存管理情報を外部記憶装置へバックアップするための処理を行う。即ち、バックアップ処理部２０６は、メモリインタフェース部２２４からの監視情報に基づいて着脱式メモリ２２５が装置本体に接続されているか否かを判定すると共に管理情報検索部２１０を起動し、着脱式メモリ２２５が接続されている場合には管理情報検索部２１０で選択データ情報に基づいて管理情報記憶部２１３に保持されている管理情報の中から保存するための保存管理情報を検索し、該保存管理情報を着脱式メモリ２２５へ書込む。一方、着脱式メモリ２２５が接続されていない場合には、バックアップ処理部２０６は、着脱式メモリ２２５が接続されていない旨をＯＰＥインタフェース部２１７を介してＬＣＤ表示部３０３に表示させる。
【００２９】
リストア処理部２０７は、メンテナンスメニュ決定部２０５から起動されると、保存管理情報を外部記憶装置からリストアするための処理を行う。即ち、リストア処理部２０７は、メモリインタフェース部２２４からの監視情報に基づいて着脱式メモリ２２５が装置本体に接続されているか否かを判定すると共に着脱式メモリ２２５に格納されている保存管理情報リストを取得し、該保存管理情報リストをＬＣＤ表示部３０３に表示させると共に管理情報選択部２０９を起動する。リストア処理部２０７は、オペレータがＬＣＤ表示部３０３に表示された保存管理情報リストの中からリストアするためのリストア管理情報を選択した後、該リストア管理情報を管理情報記憶部２１３へ転送して復旧する。
【００３０】
管理情報生成部２０８は、装置の動作および状態を管理するための管理情報を生成する。管理情報生成部２０８は、自装置の動作および状態を良好に保つべく、装置の状態の変化および操作表示部２１８からのオペレータ入力に基づいて管理情報を生成しており、最新情報を管理情報として管理情報記憶部２１３へ送出し更新している。
【００３１】
ところで、管理情報は、装置設定データを示し、具体的には、各用紙トレイへの媒体種別の設定およびユーザの好みに合わせた色調設定など示す、次に、消耗品使用量カウンタデータ、即ち、印刷媒体の使用量およびトナーの使用量のデータを示す。その他として、操作ミスおよび故障の内容を示すエラーログデータと、経年変化や劣化を修正すべく機構制御補正データおよび画像形成制御補正データとを示す。
【００３２】
管理情報選択部（管理情報選択手段）２０９は、データバックアップのとき、管理情報記憶部２１３に格納されている管理情報の中から外部記憶装置へ退避させてバックアップするための保存管理情報を選択し、該保存管理情報を示す選択データ情報を生成し保持する。該選択データ情報は、管理情報検索部２１０へ通知される。データリストアのとき、着脱式メモリ２２５に保存されている保存管理情報の中から管理情報記憶部２１３へ転送させてリストアするためのリストア管理情報を選択し、選択された管理情報を示す選択データ情報を生成し保持する。該選択データ情報は、管理情報検索部２１０へ通知される。さらに、管理情報選択部２０９は、保存管理情報およびリストア管理情報が選択されると、選択された管理情報に対して前記ＬＣＤ表示部３０３の表示において顕著化を図るべく、表示情報の顕著化処理を行う図示しない表示情報処理手段を備えている。
ここで顕著化処理とは、選択された管理情報と選択されなかった管理情報とを区別して表示させるための表示属性を変更する勝利のことである。
【００３３】
前記表示情報処理手段は、例えば、保存管理情報として「装置設定データ」を選択すると、表示情報に含まれる「装置設定データ」をＬＣＤ表示部３０３の表示において顕著化すべく、「＜ＦＯＮＴ  ｃｏｌｏｒ＝    ＞＜Ｂ＞＊装置設定データ＜／Ｂ＞＜／ＦＯＮＴ＞」と補正し、即ち、顕著化表示のためのタグ文字列を表示情報中に挿入する。補正した表示情報をＬＣＤ表示部３０３に出力する。即ち補正された表示情報を受けたＬＣＤ表示部３０３は、補正された表示情報に基づいて、図５に示すように「装置設定データ」の前に＊印を付して顕著化表示する。
【００３４】
また、ＬＣＤ表示部３０３の表示において顕著化すべく、「＜ＦＯＮＴ  ｃｏｌｏｒ＝ｒｅｄ＞＜Ｂ＞装置設定データ＜／Ｂ＞＜／ＦＯＮＴ＞」と補正すると、即ち補正された表示情報を受けたＬＣＤ表示部３０３は、補正された表示情報に基づいて、「装置設定データ」を赤色で顕著化表示となる。このような色による顕著化表示にしてもよい。
【００３５】
管理情報検索部２１０は、バックアップ処理部２０６から起動されると、管理情報選択部２０９からの選択データ情報に基づいて管理情報記憶部２１３に保持されている管理情報の中から保存するための管理情報を保存管理情報として検索し、該保存管理情報をバックアップ処理部２０６へ送る。
一方、管理情報検索部２１０は、リストア処理部２０７から起動されると、管理情報選択部２０９からの選択データ情報に基づいて着脱式メモリ２２５に保存されている管理情報の中からリストアすべき管理情報をリストア管理情報として検索し、検索されたリストア管理情報をリストア処理部２０７へ送る。
【００３６】
実施例１の動作について説明する。
先ず、管理情報記憶部２１３に保持されている管理情報の中から着脱式メモリ２２５に保存するための保存管理情報を選択する動作を図３〜図5を用いて説明する。
【００３７】
操作パネル３０１の実行キー３０４とを同時に押下し、メンテナンスモードに移行する指示を入力すると、該指示内容を示す情報はＯＰＥインタフェース部２１７を介して処理部２０１に伝達される。処理部２０１は、指示内容を示す情報を受けると、該指示内容に基づいてメンテナンスモードへ移行すると共にＯＰＥインタフェース部２１７を介してＬＣＤ表示部３０３に図３に示すメンテナンスメニュ画面を表示させる。
【００３８】
表示されたメンテナンスメニュ画面において項目の1つである「データ選択」へ、上方スクロールキー３０５および下方スクロールキー３０６を押下しカーソルを移動させた後、実行キー３０４を押下し、データ選択の動作モードへ移行する指示を入力すると、該指示内容を示す情報はＯＰＥインタフェース部２１７を介して処理部２０１に伝達される。処理部２０１は、指示内容を示す情報を受けると、該指示内容に基づいてデータ選択の動作モードへ移行すると共にＯＰＥインタフェース部２１７を介してＬＣＤ表示部３０３に図４に示す管理情報記憶部２１３に保持されているデータリスト画面を表示させる。
【００３９】
表示されたデータリスト画面において、バックアップまたはリストアさせるデータへ上方スクロールキー３０５および下方スクロールキー３０６を押下しカーソルを移動させた後、実行キー３０４を押下してデータ選択の指示を入力すると、該指示内容を示す情報はＯＰＥインタフェース部２１７を介して処理部２０１に伝達される。処理部２０１は、指示内容を示す情報を受けると、該情報を選択データとして管理情報記憶部２１３に格納すると共にＯＰＥインタフェース部２１７を介してＬＣＤ表示部３０３に図４に示すようなデータリスト画面を表示させて、選択されたデータ名の前に「＊」を追加表示させる。これにより、選択された管理情報の管理情報記憶部２１３への格納が完了したことをオペレータに通知する。
【００４０】
次に、管理情報のバックアップ動作を図６に沿って説明する。
印刷装置１００の動作は、メンテナンスモードへ移行して、メンテナンスメニュ画面が表示されているところから説明を始める。
メンテナンスメニュ画面に表示されている項目の１つである「データバックアップ」に操作パネル３０１の各種キーを操作しカーソルを合わせ、実行キー３０４を押下し実行指示を入力すると、該指示内容を示す情報を受けた処理部２０１は、メンテナンスメニュ決定部２０５でデータバックアップの指示があるか否かを判断しており（ステップＳ１０１）、該判断結果がデータバックアップ指示である場合、処理部２０１のバックアップ処理部２０６はメモリインタフェース部２２４から着脱式メモリ２２５の接続有無を示す監視情報を取得し、着脱式メモリ２２５が装置本体と接続されているか否かの判定を行う（ステップＳ１０２）。判断結果が指示なしの場合には、ステップＳ１０１に戻る。
【００４１】
着脱式メモリ２２５が接続されていると判定されると、処理部２０１は、管理情報選択部２０９から選択データ情報を読出して（ステップＳ１０３）、該選択データ情報に基づいて管理情報記憶部２１３を検索し（ステップＳ１０４）、検索された取得された保存管理情報をメモリインタフェース部２２４を介して着脱式メモリ２２５へ書込みを行う（ステップＳ１０５）。処理部２０１は、メモリインタフェース部２２４から着脱式メモリ２２５への書込み結果を示す書込情報を取得する。
着脱式メモリ２２５が接続されてないと判定される（ステップＳ１０２）と、処理部２０１はＯＰＥインタフェース部２１７を介してＬＣＤ表示部３０３に着脱式メモリ２２５が接続されていない旨のエラーメッセージを表示させる（ステップＳ１０７）。
【００４２】
書込情報が正常を示している（ステップＳ１０６）ならば、処理部２０１はＯＰＥインタフェース部２１７を介してＬＣＤ表示部３０３にバックアップ完了のメッセージを表示させる（ステップＳ１０８）。異常を示しているならば、処理部２０１はＯＰＥインタフェース部２１７を介してＬＣＤ表示部３０３に異常が発生した旨のエラーメッセージを表示させる（ステップＳ１０７）。
【００４３】
図７は、管理情報のリストア動作を説明するフローチャートである。
メンテナンスメニュ画面に表示されている項目の１つである「データリストア」に操作パネル３０１の各種キーを操作しカーソルを合わせ、実行キー３０４を押下し実行指示を入力すると、該指示内容を示す情報を受けた処理部２０１は、メンテナンスメニュ決定部２０５でデータリストアの指示があるか否かを判断しており（ステップＳ２０１）、該判断結果がデータリストア指示である場合、処理部２０１のリストア処理部２０７はメモリインタフェース部２２４から着脱式メモリ２２５の接続有無を示す監視情報を取得し、着脱式メモリ２２５が装置本体と接続されているか否かの判定を行う（ステップＳ２０２）。
判断結果が指示なしの場合には、ステップＳ２０１に戻る。
【００４４】
着脱式メモリ２２５が接続されていると判定されると、処理部２０１は、管理情報選択部２０９から選択データ情報を読出して（ステップＳ２０３）、該選択データ情報に基づいて着脱式メモリ２２５を検索し（ステップＳ２０４）、検索された取得された管理情報をメモリインタフェース部２２４を介して管理情報記憶部２１３へ書込みを行う（ステップＳ２０５）。処理部２０１は、管理情報記憶部２１３に書込んだデータを再度読み出し正常に書込みが行なわれたか否かの判定を行う（ステップＳ２０６）。
着脱式メモリ２２５が接続されてないと判定される（ステップＳ２０２）と、処理部２０１はＯＰＥインタフェース部２１７を介してＬＣＤ表示部３０３に着脱式メモリ２２５が接続されていない旨のエラーメッセージを表示させる（ステップＳ２０７）。
【００４５】
書込情報が正常を示している（ステップＳ２０６）ならば、処理部２０１はＯＰＥインタフェース部２１７を介してＬＣＤ表示部３０３にリストア完了のメッセージを表示させる（ステップＳ２０８）。異常を示しているならば（ステップＳ２０６）、処理部２０１はＯＰＥインタフェース部２１７を介してＬＣＤ表示部３０３に異常が発生した旨のエラーメッセージを表示させる（ステップＳ２０７）。
【００４６】
実施例１の１００によれば、処理部２０１はバックアップ処理部２０６、リストア処理部２０７および管理情報選択部２０９を備えており、管理情報選択部２０９で管理情報に中から着脱式メモリ２２５へ保存するための保存管理情報を選択し、保存管理情報を示す選択データ情報を生成する。バックアップ処理部２０６は、保存の指示を受けると、前記選択データ情報に基づいて管理情報記憶部２１３に保持されている管理情報を検索し、検索された保存管理情報を着脱式メモリ２２５へ格納する。
【００４７】
一方、リストア処理部２０７は、復旧の指示を受けると、選択データ情報に基づいて着脱式メモリ２２５に保存されていた管理情報の中からリストアすべき管理情報を選択し管理情報記憶部２１３へ転送することから、管理情報の全情報をバックアップまたはリストアするのではなく、管理情報の中から保存するために選択された保存管理情報を着脱式メモリ２２５に格納し、着脱式メモリ２２５に保存されている管理情報の中からリストアするリストア管理情報を選択し転送するので、バックアップまたはリストアを短時間で行えると共に、バックアップのための着脱式メモリ２２５として記憶容量の小さい記憶装置を使用することが可能となる。
【００４８】
さらに、着脱式メモリ２２５として不揮発性メモリを搭載したメモリカードを用いることにより、携帯も可能な小型記憶装置に管理情報を退避させることができる。
【実施例２】
【００４９】
実施例２の印刷装置４００は、図８に示すように、前記した実施例１と同様の機能ブロック、即ちユーザが使用する際に装置設定データなどを入力し、該入力に基づく表示を行う操作表示部２１８と、操作表示部２１８へ情報を送受するためのＯＰＥインタフェース部２１７と、装置の動作および状態を管理するための管理情報を保持する管理情報記憶部２１３と、受信したデータに基づき用紙に画像形成すべく制御するプリンタエンジン制御部２２３と、装置の全体を総括制御し画像形成処理を行う処理部（入出力処理部）４０１と、処理部４０１の制御下でプリンタエンジン制御部２２３へ印刷データの転送やプリンタエンジン制御部２２３との制御信号の送受信を行うプリンタエンジンインタフェース部２２２と、本体に着脱可能な着脱式メモリ２２５と、着脱式メモリ２２５への情報を送受するためのメモリインタフェース部２２４と、各部に電力を供給する電源部２１５と、処理部４０１の制御下で電源部２１５を制御する電源制御部２１４と、各部間の情報を送受するためのアドレス・データバス２１６とを備える。
【００５０】
実施例１と同じ機能ブロックの説明は割愛し、実施例２の特徴を示す機能ブロックへ焦点を当てて説明を行う。
【００５１】
電源制御部２１４は、処理部４０１の制御下で電源部２１５を制御すると共に、電源電圧を監視しており、装置電源が投入されると、電源投入を示す検出情報を処理部４０１の初期化判定部２１１へ通知する。
【００５２】
処理部４０１は、実施例１の処理部２０１に加えて、電源投入による初期化処理であるか否かを判定する初期化判定部２１１を備えている。
【００５３】
初期化判定部２１１は、電源制御部２１４から検出情報を受けると、該検出情報に基づいて電源投入による初期化処理であるか否かを判定する。該判定結果が電源投入による初期化処理である場合、初期化判定部２１１は、バックアップ処理部２０６を起動する。起動したバックアップ処理部２０６は、管理情報検索部２１０で選択データ情報に基づいて保存すべき保存管理情報を取得して、該保存管理情報を着脱式メモリ２２５に書込む。
初期化処理でない場合には、初期化判定部２１１は、初期化処理でない旨を動作モード決定部２０２へ通知する。通知を受けた動作モード決定部２０２は待機モードへの移行を決定する。
【００５４】
実施例２の印刷装置の動作を図９のフローチャートに沿って説明する。
本印刷装置４００へ電源投入された（ステップＳ３０１）後、処理部４０１は各ＬＳＩの初期設定、メモリチェックなどの初期化処理を行う（ステップＳ３０２）。次に、処理部４０１は、電源制御部２１４からの検出情報に基づいて電源投入による初期化処理であるか否かの判定を行う（ステップＳ３０３）。判定結果が電源投入による初期化処理でないときはステップＳ３１０へ進む。
【００５５】
判定結果が電源投入による初期化処理であるとき、処理部４０１はメモリインタフェース部２２４から着脱式メモリ２２５の接続有無を示す監視情報を取得し、着脱式メモリ２２５が装置本体と接続されているか否かの判定を行う（ステップＳ３０４）。判定結果が着脱式メモリ２２５と装置本体と接続されていないときはステップＳ３１０へ進む。
【００５６】
判定結果が着脱式メモリ２２５と装置本体と接続されているとき、処理部４０１は選択データ情報を管理情報選択部２０９より読み出し（ステップＳ３０５）、該選択データ情報に基づいて管理情報記憶部２１３を検索し（ステップＳ３０６）、検索された保存管理情報を取得し、取得した保存管理情報をメモリインタフェース部２２４を介して着脱式メモリ２２５へ書込み行う（ステップＳ３０７）。処理部４０１は、メモリインタフェース部２２４から着脱式メモリ２２５への書込み結果を示す書込情報を取得する。
【００５７】
書込情報が正常を示している（ステップＳ３０８）ならば、処理部４０１は待機モードへ移行する（ステップＳ３１０）。異常を示しているならば（ステップＳ３０８）、処理部４０１はＯＰＥインタフェース部２１７を介してＬＣＤ表示部３０３に異常が発生した旨のエラーメッセージを表示させる（ステップＳ３０９）。
【００５８】
実施例２の印刷装置４００によれば、処理部４０１へ初期化判定部２１１を追加している。初期化判定部２１１は、電源制御部２１４から電源投入の検出情報を受けると、該検出情報に基づいて電源投入による初期化処理であるか否かを判定する。該判定結果が電源投入による初期化処理である場合、初期化判定部２１１はバックアップ処理部２０６を起動する。起動したバックアップ処理部２０６は、管理情報検索部２１０で選択データ情報に基づいて検索された保存管理情報を取得して、該保存管理情報を着脱式メモリ２２５に書込むことから、印刷装置４００の電源投入する毎に管理情報を着脱式メモリ２２５へ退避させて保存している。これにより、管理情報のバックアップが定型化して行なわれ、管理情報の保存（バックアップ）し忘れを回避することができる。
【産業上の利用可能性】
【００５９】
以上の実施例１および実施例２では、画像形成装置として印刷装置を例に説明したが、これに限定されることはなく、ファクシミリ装置、複写装置および多機能周辺装置にも本発明が適用可能である。
【図面の簡単な説明】
【００６０】
【図１】実施例１の印刷装置の機能ブロック図である。
【図２】本発明の印刷装置の構造を説明する断面図である。
【図３】動作モード選択画面の表示例である。
【図４】メンテナンスメニュ画面の表示例である。
【図５】データ選択画面の表示例である。
【図６】実施例１の印刷装置のフローチャート１（バックアップ動作）である。
【図７】実施例１の印刷装置のフローチャート２（リストア動作）である。
【図８】実施例２の印刷装置の機能ブロック図である。
【図９】実施例２の印刷装置のフローチャートである。
【符号の説明】
【００６１】
１００          印刷装置
２０１          処理部
２０２          動作モード決定部
２０３          画像形成処理部
２０４          メンテナンス処理部
２０５          メンテナンスメニュ決定部
２０６          バックアップ処理部
２０７          リストア処理部
２０８          管理情報生成部
２０９          管理情報選択部
２１０          管理情報検索部
２１１          初期化判定部
２１２          制御プログラム記憶部
２１３          管理情報記憶部
２１４          電源制御部
２１５          電源部
２１６          アドレス・データバス
２１７          ＯＰＥインタフェース
２１８          操作表示部
３０２          ＬＥＤ表示部
３０３          ＬＣＤ表示部
３０８          操作キー部
２２２          プリンタエンジンインタフェース部
２２３          プリンタエンジン制御部
２２４          メモリインタフェース部
２２５          外部記憶装置（着脱式メモリ）
【図１】
2007094155.tif 000003
【図２】
2007094155.tif 000004
【図３】
2007094155.tif 000005
【図４】
2007094155.tif 000006
【図５】
2007094155.tif 000007
【図６】
2007094155.tif 000008
【図７】
2007094155.tif 000009
【図８】
2007094155.tif 000010
【図９】
2007094155.tif 000011